(57)【特許請求の範囲】
【請求項１】
外壁パネル間の目地に取付けられる定形のガスケット１１であって、目地取り付け状態において屋外側から屋内側に向けて延びる柱部１３と、該柱部１３を境にして、その両側に柱部１３と一体形成される中空シール部１４、１５、１６と、柱部両側の中空シール部１４、１５、１６のうち、いずれか一方の側の中空シール部に柱部１３と平行をなして、外壁パネル３１の側端面又は小口に接着手段１８により接着される平坦面を備えた取付部１７と、前記柱部１３の屋外側端に設けられる屋外側の意匠層２９と、該意匠層２９とは独立して前記取付部１７より屋外側に向かって傾斜し、前記柱部１３に連結される壁部２２とを有し、前記意匠層２９は、屋外側の表層面が平坦な意匠面に形成されることを特徴とする定形ガスケット。
【請求項２】
柱部両側の中空シール部１４、１５、１６のうち、平坦な取付面が形成される取付部１７を備えた中空シール部１５とは柱部１３を挟んだ反対側の中空シール部１６は仕切り壁２３、２４によって屋外から屋内に向かって複数に分割されることを特徴とする請求項１記載の定形ガスケット。
【請求項３】
前記柱部には、屋外側端部に芯金１２がインサートされることを特徴とする請求項１又は２記載の定形ガスケット。
【請求項４】
外壁パネル間の目地に取付けられる定形のガスケット１１であって、目地取り付け状態において屋外側から屋内側に向けて延びる柱部１３と、該柱部１３を境にして、その両側に柱部１３と一体形成される中空シール部１４、１５、１６とを有し、柱部両側の中空シール部１４、１５、１６のうち、いずれか一方の側の中空シール部に柱部１３と平行をなして、外壁パネル３１の側端面又は小口に接着手段１８により接着される平坦面を備えた取付部１７が形成される定形ガスケットにおいて、柱部両側の中空シール部１４、１５、１６のうち、平坦な取付面を備えた取付部１７が形成される側の中空シール部は複数の互いに独立した中空シール部１４、１５より構成され、そのうちの屋内側の中空シール部１５に前記平坦面を備えた取付部１７が形成されると共に、前記柱部１３と連結され、かつ屋外側に向かって傾斜する壁部２２を有することを特徴とする定形ガスケット。
【発明の詳細な説明】
【技術分野】
【０００１】
本発明は、建物外壁の目地に組付けられる定形のガスケットに関する。なお、本明細書において上下とは、屋外側を上向き、屋内側を下向きとし、また左右方向とは前記上下方向と直交する向きをいう。
【背景技術】
【０００２】
この種の定形のガスケットの多くは、柱部と、該柱部の両側より側方に突設される複数のリップよりなっている。図１は、その一つの例を示すもので、このガスケット１は芯金２を埋設した柱部３と、該柱部３の両側より側方に突設される複数のリップ４ａ、４ｂ、４ｃと、表層側のリップ４ａとその下側のリップ４ｂを連結するブリッジ５よりなり、外壁パネル６間で形成される目地７への装填は、目地端よりガスケット１を目地７に沿って押し込むか、屋外側から図１の矢印で示すようにガスケット１を目地７に押し込むことによって行われる。
【０００３】
外壁パネルを組付けたのちに外壁パネル間の目地に定形のガスケットを前述するようにして押し込んで装填するほかに外壁パネル組付時に同時に定形のガスケットを組込んだ目地を施工することも知られる。
【０００４】
下記特許文献１及び２には、縦又は横方向に隣り合って組み付けられる外壁パネルのうち、一方の外壁パネルを組付けたのち、該外壁パネルの側端面或いは小口に沿わせて定形のガスケットを両面粘着テープ等により仮止めして取付け、ついで他方の外壁パネルを組み付け、ガスケットを両側の外壁パネルで挟み込むようにして組み付けることが開示されている。
【０００５】
外壁パネルを組付けたのちに外壁パネル間の目地にガスケットを装填する前者の方法による場合、目地によってはガスケットを装填する際に足場が必要となることがあるのに対し、外壁パネル組付けと同時にガスケットを組み込んだ目地が施工される後者の方法による場合、ガスケット組付けのための足場を設けなくてもよい利点がある。
【先行技術文献】
【特許文献】
【０００６】
【特許文献１】実開平６−８５１２号
【特許文献２】特開２０００−３２８６７７号
【発明の概要】
【発明が解決しようとする課題】
【０００７】
平坦な取付面と中空のシール部を有する、前述の特許文献１及び２に開示されるような定形のガスケットにおいては、取付面で外壁パネルの側端面或いは小口に両面テープ等を用いて、しっかりと確実に取付けでき、また中空シール部が外壁パネルで圧縮されることにより、シールが確実に行える利点があるが、目地幅が小さくなるほど外壁パネル組付け時の中空シール部圧縮による反力が大きくなり、施工難をもたらす。
【０００８】
本発明は、平坦な取付面と中空シール部を有し、目地施工時に組付けられる定形のガスケットにおいて、シール性を損なうことなく、外壁パネル組付け時の中空シール部圧縮による反力を小さくし、施工性を改善することを目的とする。
【課題を解決するための手段】
【０００９】
請求項１に係わる発明は、外壁パネル間の目地に取付けられる定形のガスケット１１であって、目地取り付け状態において屋外側から屋内側に向けて延びる柱部１３と、該柱部１３を境にして、その両側に柱部１３と一体形成される中空シール部１４、１５、１６と、柱部両側の中空シール部１４、１５、１６のうち、いずれか一方の側の中空シール部に柱部１３と平行をなして、外壁パネル３１の側端面又は小口に接着手段１８により接着される平坦面を備えた取付部１７と、前記柱部１３の屋外側端に設けられる屋外側の意匠層２９と、該意匠層２９とは独立して前記取付部１７より屋外側に向かって傾斜し、前記柱部１３に連結される壁部２２とを有し、前記意匠層２９は、屋外側の表層面が平坦な意匠面に形成されることを特徴とする。
【００１０】
請求項３に係る発明は、請求項１又は2に係わる発明において、前記柱部には、屋外側端部に芯金１２がインサートされることを特徴とする。
請求項４に係る発明は、外壁パネル間の目地に取付けられる定形のガスケット１１であって、目地取り付け状態において屋外側から屋内側に向けて延びる柱部１３と、該柱部１３を境にして、その両側に柱部１３と一体形成される中空シール部１４、１５、１６とを有し、柱部両側の中空シール部１４、１５、１６のうち、いずれか一方の側の中空シール部に柱部１３と平行をなして、外壁パネル３１の側端面又は小口に接着手段１８により接着される平坦面を備えた取付部１７が形成される定形ガスケットにおいて、柱部両側の中空シール部１４、１５、１６のうち、平坦な取付面を備えた取付部１７が形成される側の中空シール部は複数の互いに独立した中空シール部１４、１５より構成され、そのうちの屋内側の中空シール部１５に前記平坦面を備えた取付部１７が形成されると共に、前記柱部１３と連結され、かつ屋外側に向かって傾斜する壁部２２を有することを特徴とする。
【発明の効果】
【００１１】
請求項１に係わる発明のように、柱部の両側に中空シール部が設けられていると、片側に設けられているものよりも定形ガスケットが側方より圧縮され易くなって外壁パネル組付け時の反力が少なくなり、外壁パネル組付けの施工性を改善することができる。
【００１２】
請求項２に係わる発明によると、中空シール部を仕切り壁によって複数に分割して形成される個々の中空部は、そのうちの一つの中空部を変形させようとすると、他の中空部も変形するようになり、中空部が個々に独立したものよりも変形が困難になる。したがって屋外側の外観面（その多くは意匠面となっている）を有する中空部も変形しにくくなり、前記外観面のめくれや変形を生じにくくし、外観面の平坦性を維持し易くなる。
【００１３】
請求項３に係わる発明によると、インサートした芯金により柱部の屋外側端部に設けられた意匠層の剛性を増し、これにより意匠層の変形を生じ難くし、意匠面の平坦性を維持しやすくなる。
請求項４に係る発明によると、柱部両側の中空シール部のうち、一方の側の互いに独立した中空シール部は、圧縮され易くなり、外壁パネル組付け時の反力を低減させることができると共に、屋外側の外観面を備える中空シール部は他の中空シール部の変形の影響を受けることがない。
【図面の簡単な説明】
【００１４】
【図１】従来の定形ガスケットの目地に装填する前後の断面図。
【図２】本発明に係わる定形ガスケットの断面図。
【図３】図２に示す定形ガスケットを外壁パネル側端面に取付けた断面図。
【図４】目地施工後のガスケットの断面図。
【発明を実施するための形態】
【００１５】
以下、本発明の実施形態の定形ガスケットについて図面により説明する。
図２に示す定形ガスケット１１は、全体がＥＰＤＭ等のゴム又は熱可塑性エラストマーよりなる押出成形品で、後述する外壁パネル間の目地に取付けたとき、屋外側から屋内側に向けて延び、芯金１２をインサートした柱部１３と、該柱部１３を境として、その両側に柱部１３と一体形成される中空シール部１４、１５、１６とよりなり、中空シール部１４及び１５は、屋外側より屋内側に向け、一定距離離れて互いに独立し、そのうちの屋内側の中空シール部１５は、図３に示すように外壁パネルの側端面又は小口に両面テープや接着剤等よりなる接着手段１８によって接着され、前記柱部１３と平行な平坦面を備えた取付部１７を有している。この取付部１７は、断面太鼓腹状の厚肉で、剛性があるため外壁パネルの側端面又は小口に押し付けて接着する際、取付部１７の変形が生じにくくなって接着性が上がる。
【００１６】
取付部１７はまた、上下端の薄肉部において、柱部１３と連結される上下の壁部２１、２２のうち、上側の壁部２１はＶ形状に折れ曲がっている。そして下側の壁部２２は屋外側に向かい傾斜して屋外側への変位を少なくし、柱部１３の屋外側（図の上向き）への飛び出しを規制する機能を有している。
【００１７】
柱部両側の中空シール部１４、１５、１６のうち、前記取付部１７が形成される中空シール部１５とは反対側の中空シール部１６は、仕切壁２３、２４によって屋内外方向（図の上下方向）に三区分に分割され、三つの中空部２５、２６、２７より構成されている。換言すれば、屋外側の中空部２５と屋内側の中空部２７とが連結壁２８によって連結された形態をなしている。
【００１８】
図中、２９は例えば耐候性のあるゴム又は熱可塑性エラストマー等の樹脂による意匠層で、屋外側の表層面は柱部１３と直交する平坦な意匠面に形成されている。
本実施形態の定形ガスケット１１は以上のように構成され、目地の施工は次のようにして行われる。
【００１９】
隣り合って左右方向に組み付けられる外壁パネル３１のうち、先ず一方（図３の右側）の外壁パネル３１を下地材３２に組付け、その後、該外壁パネル３１の側端面に前記定形ガスケット１１の取付部１７の平坦面を前述の接着手段１８により接着してガスケット１１を前記外壁パネル側端面に沿って取付ける（図３）。
【００２０】
次に他方（図４の左側）の外壁パネル３１をその側端面で定形ガスケット１１を押し込むようにして組付ける。外壁パネル３１の押し込みに伴い、中空シール部１４及び１５がほぼ均一に圧縮され、柱部１３が壁部２２によって飛び出しを規制されながら、前記一方の外壁パネル側端面に向かい平行状態を維持して変位する。そして中空シール部１６の各中空部２５、２６、２７も均一に圧縮される。圧縮時において中空部２５は、中空部２７と連結壁２８によって連結され、単独での変形が規制される。
【００２１】
以上のように柱部１３が壁部２２によって飛び出しを規制され、かつ中空部２５の変形が規制されることにより屋外側表面の意匠面の変形が生じにくくなり、意匠面のフラット性が維持され易くなる。
前記実施形態は、縦目地の施工について示したが、横目地の施工についても縦目地と同様に施工し、同様の効果を挙げることができる。
【符号の説明】
【００２２】
１１・・定形ガスケット
１３・・柱部
１４、１５、１６・・中空シール部
１７・・取付部
１８・・接着手段
２１、２２・・壁部
２３、２４・・仕切壁
２５、２６、２７・・中空部
２９・・意匠層
３１・・外壁パネル
【図１】
0005700411.tif 000002
【図２】
0005700411.tif 000003
【図３】
0005700411.tif 000004
【図４】
0005700411.tif 000005